(57)【要約】      （修正有）【課題】プレーヤーにコースの攻略に必要な情報を時間的・身体的な負担少なくプレーヤーがコースの攻略に必要な情報を必要とする際に提供することを可能とするゴルフ場ポケット版攻略ガイドを提供する。【解決手段】ゴルフコースの各ホールのコース形状及びコース攻略に必要な情報Ｇを記載したホールレイアウト図Ｂと、ゴルフコースの各ホールのグリーン形状及びグリーン攻略に必要な情報を記載したグリーン仕様図Ｈと、を備え、前記グリーン仕様図は、前記ホールレイアウト図の前ページに位置することを特徴として攻略ガイドブックを構成する。【選択図】図１
0003161994.tif 000002
【実用新案登録請求の範囲】
【請求項１】
ゴルフコースの各ホールのコース形状及びコース攻略に必要な情報を記載したホールレイアウト図と、
ゴルフコースの各ホールのグリーン形状及びグリーン攻略に必要な情報を記載したグリーン仕様図と、を備え、
前記グリーン仕様図は、前記ホールレイアウト図の前ページに位置することを特徴とするゴルフ場ポケット版攻略ガイド。
【請求項２】
ゴルフ場にある全てのコースのコースレイアウト図を備える請求項１記載のゴルフ場ポケット版攻略ガイド。
【請求項３】
ゴルフコースの各ホールのティー位置毎の距離表示欄を備える請求項１及び２記載のゴルフ場ポケット版攻略ガイド。
【請求項４】
ローカルルール記載欄を備える請求項１から３記載のゴルフ場ポケット版攻略ガイド。
【考案の詳細な説明】
【技術分野】
【０００１】
本考案は、ゴルフのプレーヤーにゴルフコースに関する情報を利便性のある形態にて提供するゴルフ場ポケット版攻略ガイドに関する。
【背景技術】
【０００２】
従来、ゴルフプレーヤーはプレー中にゴルフコースに関する詳細な情報（ホールレイアウト、グリーン迄の距離、グリーンの傾斜・芝目、コースの特徴等）を得る機会に乏しかった。ティーマーク脇に設置されている立て看板や、カートに搭載している冊子、もしくは簡易なレイアウト図（１枚の紙に９ホールもしくは１８ホール分の大まかなコースレイアウト等の情報のみを表示したもの）等を利用するのが主流であった。
【先行技術文献】
【特許文献】
【０００３】
【特許文献１】特開２００４−２４７９４号公報
【考案の概要】
【考案が解決しようとする課題】
【０００４】
上記従来技術においては下記の問題が存在している。
【０００５】
ティーマーク脇に設置されている立て看板にてコース情報をプレーヤーに提供しているゴルフ場も多数ある。しかしこの方法でのコース情報の確認は、ティーショットの際の参考情報にはなるが、ティーショット後は当該看板まで戻らない限りコース情報の確認することはできない。プレー中に戻ることは円滑なプレーに支障が出る為、プレーヤーはティーショット後には当該方法によりコース情報の確認ができないという問題があった。
【０００６】
カートに搭載している冊子でのコース情報の確認であるが、当該冊子はカートへの搭載を前提に作成されており、プレーヤーが携帯することは考慮されていない。よってプレーヤーはコース上で情報確認はできず、確認の為にはカートの所まで行く必要がある。当該行為はプレーヤーに時間的・身体的な負担を与えるという問題があった。
【０００７】
簡易なレイアウト図でのコース情報の確認であるが、当該レイアウト図は通常ゴルフ場がプレーヤーに配布するものである。１枚の紙にて構成されるのが通常である為、プレーヤーはプレー中携帯することは可能である。しかし携帯する際は折りたたんで衣類のポケット等に入れるので、コース情報確認の為には紙を広げ、確認の後には再び折りたたんでポケットに入れるという動作を強いる事となる。この動作は時間的・身体的な負担を与えるという問題があった。強風や雨天等の悪天候の際は当該負担が更に増大する。
【０００８】
また、上記のティーマーク脇に設置されている立て看板、カートに搭載している冊子、当該簡易なレイアウト図はいずれも大まかなコースマップのみを掲載している事が多い。大まかなコースマップのみではコース攻略の為の情報としては不十分であり、プレーヤーが必要とする情報（ホールレイアウト、グリーン迄の距離、グリーンの傾斜・芝目、コースの特徴）の提供が出来ていない。
【０００９】
従来の技術は上記のようなプレーヤーの時間的・身体的な負担により、適時にコース情報の確認ができないという問題及びコース攻略の為の必要十分な情報を得ることができないという問題が存在していた。
【００１０】
本考案は、上記問題点に鑑みてなされたものであり、プレーヤーがプレー中に容易に携帯でき、コース情報確認を時間的・身体的負担なく行うことができ、コース攻略の為の必要情報が見やすいレイアウトで配置されていることを特徴とするゴルフ場ポケット版攻略ガイドを提供することを目的とする。
【課題を解決するための手段】
【００１１】
本考案のゴルフ場ポケット版攻略ガイドは、ゴルフコースの各ホールのコース形状及びコース攻略に必要な情報を記載したホールレイアウト図と、ゴルフコースの各ホールのグリーン形状及びグリーン攻略に必要な情報を記載したグリーン仕様図と、を備え、前記グリーン仕様図は、前記ホールレイアウト図の前ページに位置することを特徴とする。
【考案の効果】
【００１２】
本考案によれば、プレーヤーにコースの攻略に必要な情報を時間的・身体的な負担少なくプレーヤーがコースの攻略に必要な情報を必要とする際に提供することが可能となる。
【図面の簡単な説明】
【００１３】
【図１】本考案の実施形態に係るホール毎のコース情報の表示を示す図である。
【図２】本考案の実施形態に係るゴルフ場のコース配置図及び各ホールの各ティ−位置からグリーンまでの距離情報の表示を示す図である。
【図３】本考案の実施形態に係る各ホールの各ティ−位置からグリーンまでの距離情報の表示の記載例を示す図である。
【図４】本考案の実施形態に係るゴルフ場のローカルルール及びハーフ（９ホール）の表紙を示す図である。
【考案を実施するための形態】
【００１４】
以下に本考案の実施形態の例について、図面を用いて詳細に説明する。
【００１５】
図１は本考案の実施形態に係るホール毎のコース情報の表示を示す図である。
本考案の実施形態に係る攻略ガイドは一辺を１０ｃｍ〜１４ｃｍ程度とし、もう一辺を６ｃｍ〜９ｃｍ程度とする長方形の紙・フィルム等（表面に印刷可能な素材）にて構成される。本攻略ガイドを構成する各用紙は長方形の辺の短い部分がリング状の留め具Ａを用いて結合される。なおこの例は本攻略ガイドの一般的な実施形態を示すものであり、用紙の大きさ・結合方法を限定するものではない。
【００１６】
本攻略ガイドはホールレイアウト図Ｂを備える。ティーグラウンドＣ、バンカーＤ、グリーンＥ、ウォーターハザードＦ等により表現される。コース特記事項欄Ｇにはコースの攻略の為に注意すべき事項（グリーンに関する情報以外）を掲載する。
例えばティーショットの際に狙うべきポイント（ティーショットは樫の木が狙い）、ＯＢに関する注意事項（右側林のＯＢに注意）、コースの傾斜に関する注意事項（打ち下ろしなので距離計算に注意）等がある。
【００１７】
ホールレイアウト図Ｂの前ページにはグリーン仕様図Ｈを備える。グリーン仕様図Ｈは図のように該当するホールレイアウト図の前ページに位置させるのが、使用上の利便性を有する。一つのホールにグリーンが二つある場合は双方を一つの紙面に記載する。傾斜は矢印にてグリーン傾斜Ｉとして表現される。矢印の示す方向に向かって低くなっていることを表している。矢印の色調は茶系統の色を使用するとよい。段差は、矢印が折れている部分によってグリーン段差Ｊとして表現される。芝目は芝目Ｋにて表現される。記号の先端部方向に芝生が順目であることを表す。当該記号の色調は緑系統の色を使用するとよい。グリーン攻略にあたって特筆すべき事項はグリーン特記事項欄Ｌに記載される。例えば傾斜に関する注意事項（傾斜は左奥から右手前）、芝目に関する注意事項（芝目は左奥から右手前）、攻略に関する注意事項（攻略は手前から）等がある。
【００１８】
図２はゴルフ場のコースレイアウト図Ｍ及びティー位置毎の距離表示図Ｎである。コースレイアウト図Ｍは該当するゴルフ場の全コースもしくはハーフコース分の各ホールの相互位置関係が把握できる図である。ティー位置毎の距離表示図Ｎは、各コースの各ティー位置毎の距離を表示する。通常のゴルフ場には女性用ティー、男性用フロントティー、男性用レギュラーティー、男性用バックティー等、ティー位置の区分があり、各ティー位置からグリーン迄の距離はそれぞれ異なる。よってホール毎に各ティーからグリーン迄の距離情報が掲載されていれば使用クラブの選択等に利便性を有する。
【００１９】
図３はティー位置毎の距離表示図の記載例Ｏである。ホール別・ティー別の距離を掲載している。
【００２０】
図４はローカルルール掲載欄Ｐ及びハーフ（９ホール）の表紙Ｑである。ローカルルール掲載欄Ｐには当該ゴルフコースのローカルルールを記載する。表紙の裏面にページ割りをするのが望ましい。ハーフ（９ホール）の表紙Ｑは各コース掲載ページの前にページ割りをするのが望ましい。
【００２１】
その他攻略ガイドに掲載可能な情報としては、マナー、広告、ゴルフ場の施設案内、クーポン券、交通案内、予約案内等があり、当該情報を掲載すれば利便性が向上する。
【００２２】
以上、本考案の好適な実施の形態により本考案を説明した。ここでは特定の具体例を示して本考案を説明したが、実用新案登録請求の範囲に定義された本考案の広範囲な趣旨及び範囲から逸脱することなく、これら具体的に様々な修正及び変更が可能である。
【符号の説明】
【００２３】
Ａ    留め具
Ｂ    ホールレイアウト図
Ｃ    ティーグラウンド
Ｄ    バンカー
Ｅ    グリーン
Ｆ    ウォーターハザード
Ｇ    コース特記事項欄
Ｈ    グリーン仕様図
Ｉ    グリーン傾斜
Ｊ    グリーン段差
Ｋ    芝目
Ｌ    グリーン特記事項欄
Ｍ    コースレイアウト図
Ｎ    ティー位置毎の距離表示図
Ｏ    ティー位置毎の距離表示図の記載例
Ｐ    ローカルルール掲載欄
Ｑ    ハーフ（９ホール）の表紙
【図１】
0003161994.tif 000003
【図２】
0003161994.tif 000004
【図３】
0003161994.tif 000005
【図４】
0003161994.tif 000006
【手続補正書】
【提出日】平成22年6月7日(2010.6.7)
【手続補正１】
【補正対象書類名】実用新案登録請求の範囲
【補正対象項目名】全文
【補正方法】変更
【補正の内容】
【実用新案登録請求の範囲】
【請求項１】
ゴルフコースの各ホールのコース形状及びコース攻略に必要な情報を記載したホールレイアウト図と、
ゴルフコースの各ホールのグリーン形状及びグリーン攻略に必要な情報を記載したグリーン仕様図と、を備え、
前記グリーン仕様図は、前記ホールレイアウト図の前ページに位置することを特徴とするゴルフ場ポケット版攻略ガイド。
【請求項２】
ゴルフ場にある全てのコースのコースレイアウト図を備える請求項１記載のゴルフ場ポケット版攻略ガイド。
【請求項３】
ゴルフコースの各ホールのティー位置毎の距離表示欄を備える請求項１または２記載のゴルフ場ポケット版攻略ガイド。
【請求項４】
ローカルルール記載欄を備える請求項１〜３のいずれか１項に記載のゴルフ場ポケット版攻略ガイド。